(57)【要約】【課題】  ５０ＨｚのＰＡＬ映像信号が入力された際に，入力映像信号が有する負荷率や階調の影響を受けることなくフリッカーの発生及び動画疑似輪郭の発生を抑制する。【解決手段】入力映像信号に対応してＰＤＰに表示される画像の各フレームを，所定の輝度比重値が割り付けられた複数個のサブフィールドに分割し，各サブフィールドの発光有無を制御することにより上記輝度比重値を組み合わせて階調を表示する際，上記複数個のサブフィールドは二個の連続的なサブフィールドグループで構成され，二番目のサブフィールドグループに含まれたサブフィールドの個数が，一番目のサブフィールドグループに含まれたサブフィールドの個数より多く，低階調を形成するための輝度比重値が割り付けられたサブフィールドが上記二番目のサブフィールドグループに含まれ，上記入力映像信号の負荷率によって二番目のサブフィールドグループの開始時点が変化されるようにする。【選択図】    図９
2004252455.tif 000002
【特許請求の範囲】
【請求項１】
入力映像信号に対応してプラズマディスプレイパネルに表示される画像の各フレームを所定の輝度比重値が割り付けられた複数個のサブフィールドに分割し，前記サブフィールドの発光有無を制御することにより前記輝度比重値を組み合わせて階調を表示するプラズマディスプレイパネルの画像表示方法において，
前記複数個のサブフィールドは二個の連続的なサブフィールドグループで構成され，
前記二個の連続的なサブフィールドグループのうちで時間上二番目に位置するサブフィールドグループに含まれたサブフィールドの個数が，前記二個の連続的なサブフィールドグループのうちで時間上一番目に位置するサブフィールドグループに含まれたサブフィールドの個数より多く，
低階調を形成するための輝度比重値が割り付けられたサブフィールドが前記二番目に位置するサブフィールドグループに含まれ，
前記入力映像信号の負荷率によって，前記二番目に位置するサブフィールドグループの開始時点が変化されること，
を特徴とするプラズマディスプレイパネルの画像表示方法。
【請求項２】
入力映像信号に対応してプラズマディスプレイパネルに表示される画像の各フレームを所定の輝度比重値が割り付けられた複数個のサブフィールドに分割し，前記サブフィールドの発光有無を制御することにより前記輝度比重値を組み合わせて階調を表示するプラズマディスプレイパネルの画像表示方法において，
前記入力映像信号がＰＡＬ信号であるか否かを識別する入力信号識別段階と，
前記入力映像信号がＰＡＬ信号である場合，前記ＰＡＬ入力映像信号に対応するサブフィールドデータ及びアドレスデータと，前記入力映像信号の負荷率に応じたサステインパルス数及び各サブフィールドの開始位置に基づいたサブフィールド配列制御信号とを生成する表示データ生成段階と，
前記生成されたサブフィールドデータ，アドレスデータ及びサブフィールド配列制御信号を前記プラズマディスプレイパネルに印加する表示段階とを含み，
前記ＰＡＬ入力映像信号に対応するサブフィールドデータは，
二個の連続的なサブフィールドグループで構成されるサブフィールドに対応し，
前記二個の連続的なサブフィールドグループのうちで時間上二番目に位置するサブフィールドグループに含まれたサブフィールドの個数が，前記二個の連続的なサブフィールドグループのうちで時間上一番目に位置するサブフィールドグループに含まれたサブフィールドの個数より多く，低階調を形成するための輝度比重値が割り付けられたサブフィールドが前記二番目に位置するサブフィールドグループに含まれるように形成されること，
を特徴とするプラズマディスプレイパネルの画像表示方法。
【請求項３】
前記低階調を形成するための輝度比重値は，前記複数個のサブフィールドに割り付けられる輝度比重値の中で最下位ビット及び最下位の次に大きいビットの輝度比重値であることを特徴とする請求項１又は２に記載のプラズマディスプレイパネルの画像表示方法。
【請求項４】
前記低階調を形成するための輝度比重値が割り付けられたサブフィールドは，前記二番目に位置するサブフィールドグループの開始地点に位置することを特徴とする請求項３に記載のプラズマディスプレイパネルの画像表示方法。
【請求項５】
前記負荷率が大きい場合の前記二番目のサブフィールドグループの開始時点が，前記負荷率が小さい場合の前記二番目のサブフィールドグループの開始時点よりも時間的に早い時点であることを特徴とする請求項１又は２に記載のプラズマディスプレイパネルの画像表示方法。
【請求項６】
前記一番目のサブフィールドグループの占有時間に前記一番目のサブフィールドグループの休止期間が含まれ，
前記一番目のサブフィールドグループの占有時間は前記負荷率に応じて変化されることを特徴とする請求項１又は２に記載のプラズマディスプレイパネルの画像表示方法。
【請求項７】
前記一番目のサブフィールドグループの占有時間は，前記負荷率が大きくなるにしたがって減少することを特徴とする請求項６に記載のプラズマディスプレイパネルの画像表示方法。
【請求項８】
入力映像信号に対応してプラズマディスプレイパネルに表示される画像の各フレームを所定の輝度比重値が割り付けられた複数個のサブフィールドに分割し，前記サブフィールドの発光有無を制御することにより前記輝度比重値を組み合わせて階調を表示するプラズマディスプレイパネルの画像表示方法において，
前記複数個のサブフィールドは二個の連続的なサブフィールドグループで構成され，
前記二個の連続的なサブフィールドグループのうちで時間上二番目に位置するサブフィールドグループに含まれたサブフィールドの個数が，前記二個の連続的なサブフィールドグループのうちで時間上一番目に位置するサブフィールドグループに含まれたサブフィールドの個数より多く，
低階調を形成するための輝度比重値が割り付けられたサブフィールドが前記二番目に位置するサブフィールドグループに含まれ，
前記入力映像信号の負荷率の変動に関係なく，フレーム内に各々形成されるサブフィールドグループ間の発光中心が周期的に形成されるようにすること，
を特徴とするプラズマディスプレイパネルの画像表示方法。
【請求項９】
前記サブフィールドグループ間の発光中心の周期的形成は，
前記同一フレーム内に形成される一番目のサブフィールドグループと二番目のサブフィールドグループとの間の発光中心の時間間隔と，二番目のサブフィールドグループと隣接するフレーム内に形成される一番目のサブフィールドグループとの間の発光中心の時間間隔とが同一になるようにすることによって行われることを特徴とする請求項８に記載のプラズマディスプレイパネルの画像表示方法。
【請求項１０】
入力映像信号に対応してプラズマディスプレイパネルに表示される画像の各フレームを所定の輝度比重値が割り付けられた複数個のサブフィールドに分割し，前記サブフィールドの発光有無を制御することにより前記輝度比重値を組み合わせて階調を表示するプラズマディスプレイパネルの画像表示装置において，
前記入力映像信号をデジタル化してデジタル映像データを生成する映像信号処理部と，
前記映像信号処理部から出力されるデジタル映像データを分析して，入力される映像データがＮＴＳＣ信号であるか又はＰＡＬ信号であるかを検出し，その結果をデータスイッチ値にして前記デジタル映像データと共に出力する垂直周波数検出部と，
前記垂直周波数検出部で生成されるデジタル映像データ及びデータスイッチ値を受信し，前記データスイッチ値に応じてＮＴＳＣ映像信号又はＰＡＬ映像信号に対応するサブフィールドデータ及びアドレスデータを生成してプラズマディスプレイパネルに印加するメモリ制御部と，
前記垂直周波数検出部から出力されるデジタル映像データの負荷率を検出し，検出された負荷率によって自動電力制御レベルを計算し，計算された自動電力制御レベルに対応するサステインパルス数を算出して出力する自動電力制御部と，
前記自動電力制御部から出力される負荷率によって各サブフィールド期間の変化範囲を判断し，判断された変化範囲内で各サブフィールドの開始位置を決定するサブフィールド変化範囲判断部と，
前記サブフィールド変化範囲判断部から出力されるサステインパルス数，各サブフィールドのアドレス期間のパルス幅，各サブフィールドの開始位置，及びデータスイッチ値を受信し，前記データスイッチ値によってＮＴＳＣ映像信号の場合またはＰＡＬ映像信号の場合に応じたサブフィールド配列を生成し，生成されたサブフィールド配列に基づく制御信号を生成してプラズマディスプレイパネルに印加する維持・走査パルス駆動部と，を含み，
前記ＰＡＬ入力映像信号に対応するサブフィールドデータは，
二個の連続的なサブフィールドグループで構成されるサブフィールドに対応し，
前記二個の連続的なサブフィールドグループのうちで時間上二番目に位置するサブフィールドグループに含まれたサブフィールドの個数が，前記二個の連続的なサブフィールドグループのうちで時間上一番目に位置するサブフィールドグループに含まれたサブフィールドの個数より多く，低階調を形成するための輝度比重値が割り付けられたサブフィールドが前記二番目に位置するサブフィールドグループに含まれるように形成されることを特徴とするプラズマディスプレイパネルの画像表示装置。
【請求項１１】
前記サブフィールド変化範囲判断部は，前記負荷率が大きい場合の前記二番目のサブフィールドグループの開始時点が，前記負荷率が小さい場合の前記二番目のサブフィールドグループの開始時点より時間的に早い時点となるようにすることを特徴とする，請求項１０に記載のプラズマディスプレイパネルの画像表示装置。
【請求項１２】
入力映像信号に対応してプラズマディスプレイパネルに表示される画像の各フレームを所定の輝度比重値が割り付けられた複数個のサブフィールドに分割し，前記サブフィールドの発光有無を制御することにより前記輝度比重値を組み合わせて階調を表示するプラズマディスプレイパネルの画像表示装置において，
前記入力映像信号がＰＡＬ信号であるか否かを識別する入力信号識別機能と，
前記入力映像信号がＰＡＬ信号である場合，前記ＰＡＬ入力映像信号に対応するサブフィールドデータ及びアドレスデータと，前記入力映像信号の負荷率に応じたサステインパルス数及び各サブフィールドの開始位置に基づいたサブフィールド配列制御信号とを生成する表示データ生成機能と，
前記生成されたサブフィールドデータ，アドレスデータ及びサブフィールド配列制御信号を前記プラズマディスプレイパネルに印加する表示機能と，を有し，
前記ＰＡＬ入力映像信号に対応するサブフィールドデータは，
二個の連続的なサブフィールドグループで構成されるサブフィールドに対応し，
前記二個の連続的なサブフィールドグループのうちで時間上二番目に位置するサブフィールドグループに含まれたサブフィールドの個数が，前記二個の連続的なサブフィールドグループのうちで時間上一番目に位置するサブフィールドグループに含まれたサブフィールドの個数より多く，低階調を形成するための輝度比重値が割り付けられたサブフィールドが前記二番目に位置するサブフィールドグループに含まれるように形成されるようにすること，を実現するプログラムが保存された記録媒体を有すること，
を特徴とするプラズマディスプレイパネルの画像表示装置。
【発明の詳細な説明】
【技術分野】
【０００１】
本発明はプラズマディスプレイパネル（Ｐｌａｓｍａ  Ｄｉｓｐｌａｙ  Ｐａｎｅｌ：以下，ＰＤＰとする）の画像表示方法及びその装置にかかり，さらに詳しくは５０ＨｚのＰＡＬ（Ｐｈａｓｅ  Ａｌｔｅｒｎａｔｉｎｇ  ｂｙ  Ｌｉｎｅ）映像信号が入力される際に発生するフリッカー及び疑似輪郭を低減するプラズマディスプレイパネルの画像表示方法及びその装置に関する。
【背景技術】
【０００２】
プラズマディスプレイパネル（ＰＤＰ）は，複数個の放電セルをマトリックス形状に配列してこれらを選択的に発光させることにより，電気信号として入力された画像データを復元させるディスプレイの一種である。
【０００３】
上記ＰＤＰにおいて放電セルがカラー表示素子として機能するためには，階調表示が可能でなければならない。プラズマディスプレイによる階調表示の方法としては，画像の１フィールド（フレーム）を複数個のサブフィールドに分けてこれらを時分割制御する方法が知られている。すなわち，１フィールドは複数個のサブフィールドに時間分割されており，各サブフィールドには所定の輝度比重値（輝度重み：ｗｅｉｇｈｔ）を割り付けて，それぞれのサブフィールドが選択的に発光されるように制御することにより階調表示を行う方法である。つまり，発光された各サブフィールドの輝度比重値の合計が当該フレームの階調に相当する。
【０００４】
このようなＰＤＰの階調表示方法では，各サブフィールドに所定の輝度比重値が割り付けられるが，割り付けの方法として最も一般的に用いられるのが，最小増加配列（輝度比重値が低いものから順に増加していく配列）または最小減少配列（輝度比重値が重いものから順に配列していく）である。
【０００５】
ＰＤＰに限らず表示装置においては，フリッカー（ちらつき）のない高品質な画像が要求される。フリッカーは人間の視覚特性に依存して感知されたりまたは感知されなかったりするものであるが，一般的に，画面が大きいほど，または映像信号の周波数が低いほど感知され易いことが知られている。
【０００６】
ＰＤＰに入力される映像信号には，アナログのカラーテレビ放送方式では，例えばＰＡＬ方式の映像信号やＮＴＳＣ方式の映像信号などがあるが，ＰＡＬ方式の映像信号は周波数が５０Ｈｚであり，ＮＴＳＣ方式は６０Ｈｚである。従って，大画面のＰＤＰに映像信号を表示する場合，ＮＴＳＣ方式の映像信号を表示する際にはさほど感知されないフリッカーが，ＰＡＬ映像信号を表示する場合には上述したフリッカー発生の二つの条件が満たされるためにフリッカーが感知されやすい，という問題点があった。
【０００７】
特に，上述したサブフィールド配列として一般的に用いられる最小増加配列または最小減少配列を用いて階調表示を行う方法では，垂直周波数５０ＨｚでＰＤＰを駆動した際に発生するフリッカーの量は顕著であった。
【０００８】
このようなフリッカー発生を減少させるためには，先に述べたフリッカー発生の二つの条件が満たされないようにしなければならないが，第一の条件である画面の大きさは変更することができないので，第二の条件である周波数が高くなるように調整しなければならない。
【０００９】
このような考えに基づいて周波数を調整してフリッカー発生を低減させる従来の方法としては，１フレーム内のサブフィールドを二個のグループに分ける方法が知られている（例えば，特許文献１参照）。この特許文献によれば，大画面ＰＤＰに５０Ｈｚの映像信号が入力された際に発生するフリッカーを減少させるために，添付した図１に示されているように，１フレーム内のサブフィールドを二個のグループ（Ｇ１）（Ｇ２）に分けている。そして，各グループのサブフィールドの輝度比重値（ｗｅｉｇｈｔ）の配列が，図１のようにＬＳＢ（Ｌｅａｓｔ  Ｓｉｇｎｉｆｉｃａｎｔ  Ｂｉｔ：最下位ビット）サブフィールド以外は同一となるように設定されたり，または，各グループのサブフィールドの輝度比重値（ｗｅｉｇｈｔ）が類似するように設定されることを特徴としている。
【００１０】
このようなサブフィールド配列では，輝度比重値の変化の増減が１フレーム内に２サイクル存在するので，従来の最小増加配列又は最小減少配列などのサブフィールド配列と比較すると，輝度比重値の変化の周期が２倍になっており，見かけ上の周波数が増加してフリッカー低減には非常に大きな効果を奏する。特に，最も高い輝度比重値を有するサブフィールドは当該フィールド内で一番多く発光するサブフィールドであるため，当該フィールドの輝度に大きな影響を与える。従ってこのような輝度比重値が最も高いサブフィールドの発光位置が周期性を有する，即ちグループ（Ｇ１）の輝度比重値が最も高いサブフィールドの発光中心位置とグループ（Ｇ２）の輝度比重値が最も高いサブフィールドの発光中心位置との間隔が連続したフレームを通して周期性を有するようにすれば，フリッカーを減少させることができる。
【００１１】
図１に示す従来のサブフィールド配列においては，１フレームの期間は総２０ｍｓであり，各グループ（Ｇ１）（Ｇ２）の期間は１０ｍｓに固定されている。休止期間は二つ存在するが，一つ（第２休止期間）はフレーム期間の縦断，つまり第２グループ（Ｇ２）の縦断に位置し，他の一つ（第１休止期間）は二つのグループ（Ｇ１）（Ｇ２）の間，つまり第１グループ（Ｇ１）の縦断に位置する。ここで，休止期間とは，１フィールド期間のうちで，初期化期間，どのサブフィールドを発光させるかを選択する期間（書き込み期間またはアドレス期間），選択されたサブフィールドを所定の輝度比重値に応じた時間長で発光させる期間（維持放電期間またはサステイン期間），または消去期間などのいずれにも該当しない期間である。上記休止期間は，例えば，ＰＤＰが有する基準フィールド周波数よりも低いフィールド周波数を有する映像信号が入力されて当該低周波数でＰＤＰを駆動する際に，各フィールドに設けられるものである。例えば，周波数が６０Ｈｚのアナログカラーテレビ放送方式の映像信号を表示できるように製造されたＰＤＰの基準フィールド周波数は６０Ｈｚであり，１フィールドが６０Ｈｚのサブフィールド構成を有する。このＰＤＰに周波数５０ＨｚのＰＡＬ方式の映像信号が入力された場合，５０Ｈｚの１フィールドに６０Ｈｚ用のサブフィールド構成を適用するので余りの時間が生じ，これが休止期間となる。このように休止期間を設けて周波数を調整することにより，基準周波数よりも低い５０Ｈｚの周波数を有するＰＡＬ映像信号を，基準周波数が６０ＨｚのＰＤＰで表示することが可能になる。
【００１２】
図２は，上記特許文献１などに開示されている従来のサブフィールド配列を用いて低階調を表示する場合に用いるサブフィールドの組み合わせを示す図である。例えば，レベルが３の低階調を表示する場合，第１グループ（Ｇ１）の最下位サブフィールドＳＦ１（階調レベル１），及び第２グループ（Ｇ２）の最下位サブフィールドＳＦ１（階調レベル２）がオンになることにより，レベル３の階調を表示することができる。
【００１３】
上述したような従来のサブフィールド構成は，フリッカーを減少させるといった観点からは非常に大きな効果を奏する一方で，動画を表示する際には疑似輪郭が発生する，といった問題点を有していた。疑似輪郭とは，なめらかに明るさが変化する部分に輪郭の様な線ができる現象である。以下に，従来のサブフィールド構成を用いた場合に生じる疑似輪郭について説明する。
【００１４】
従来のサブフィールド配列では，低階調，例えば０〜１１のレベルの低階調を表現する場合，ＬＳＢ及びＬＳＢ＋１に該当するサブフィールド間の時間差は数ｍｓ程度である。例えば，図２のサブフィールド配列では，ＬＳＢのサブフィールド（階調レベル１）は第１グループ（Ｇ１）の先頭に，ＬＳＢ＋１のサブフィールド（階調レベル２）は第２グループ（Ｇ２）の先頭に配列されている。ここで，各グループ（Ｇ１）（Ｇ２）の期間は上述した通り１０ｍｓに固定されているので，これらＬＳＢ及びＬＳＢ＋１のサブフィールド間の時間差も１０ｍｓとなり，その差は非常に大きい。
【００１５】
アナログ映像信号をデジタル変換して階調表示を行う場合，実際の階調と変換された階調との誤差を補正するために，生じた誤差を近辺の画素に分散する誤差拡散が行われる場合が多い。従来のサブフィールド配列を用いて誤差拡散を適用した場合，低階調を表示すると著しい動画疑似輪郭が発生する。すなわち，ＬＳＢ及びＬＳＢ＋１に該当するサブフィールド間の時間差は上述したように数ｍｓ程度と大きく，更にＬＳＢ及びＬＳＢ＋１は発光維持時間も短い。一般的に，このような時間差を有する短い発光の画像が移動すると，疑似輪郭が感知されやすい。
【００１６】
図３は，図１のサブフィールド配列を用いた際の，隣接するフレームの階調が４と３である画像が移動した場合に発生する疑似輪郭を説明する概念図である。
【００１７】
図３は，画像がフレームＮからフレームＮ＋１に移動した場合を示す。人の目は，動画を追うとこの様な連続するフレームＮとＮ＋１の画像を合わせた状態で認識する場合がある。図３の目が斜線で示された方向に画像を追うと，認識される階調は，斜線が通過する際に発光している（オンとなっている）サブフィールドの平均値となる。図の右下に示された折れ線に示された数値が認識される階調，すなわち歪曲された階調であり，左から順に４，２，３，１，２，２．５，３となっている。従って，疑似輪郭が発生する地点は２，３，１，２，２．５の階調を有する総５地点であり，元の階調の最高階調であるレベル４と，歪曲された階調との差の値は，それぞれ２，１，３，２，１．５となる。このような差の値は，発生する疑似輪郭の発生強度を示す。画像の移動時にこのように歪曲された階調はカラー（ｃｏｌｏｒ）のねじれとして現れ，人間の視覚には輪郭の形状を有するカラーのねじれとして認識される。
【００１８】
このように，従来のサブフィールド構造では，サブフィールドを二つのグループに分割したことで，輝度比重値の高いサブフィールドの時間差が長くかつ周期性を有するように配列されてフリッカーが減少されたものの，輝度比重値の低いサブフィールドの時間差が長くなってしまったことにより動画疑似輪郭が発生していた。
【００１９】
一方，ＰＤＰはではその駆動特性上消費電力が高いため，表示されるフレームの負荷率（平均信号レベル又はｌｏａｄ  ｒａｔｉｏ）によって消費電力を制御する自動電力制御（Ａｕｔｏｍａｔｉｃ  Ｐｏｗｅｒ  Ｃｏｎｔｒｏｌ：以下，ＡＰＣとする）技法が用いられる。このようなＡＰＣ法は，入力映像信号（映像データ）の負荷率によってＡＰＣレベルを異なるように設定し，各ＡＰＣレベル別にサステインパルス数（維持放電パルス数）を変化させることにより消費電力を一定のレベル以下となるように制御する方法である。
【００２０】
上述したＡＰＣ法によれば，入力映像信号の負荷率によって各サブフィールドに適用されるサステインパルス数が変化する。サステインパルスは放電を維持させるためのパルスであり，各フィールドの輝度は印加されるサステインパルスの数に比例し，またＰＤＰの消費電力もサステインパルス数に比例する。また，負荷率は入力映像信号の平均信号レベルに対応し，個々のフレーム別に求められ，１つのフレームで発光される画素の数に比例する。すなわち，上記ＡＰＣ法では，入力映像信号の負荷率によって，各グループ（Ｇ１）（Ｇ２）に印加されるサステインパルスの総パルス数を変化させることによりＰＤＰの消費電力を制御している。このとき，各サブフィールドにはそのサブフィールドが有する輝度比重値に応じたパルス数のサステインパルスが印加されるので，総パルス数を変化させることにより各サブフィールドに適用されるサステインパルス数も変化する。
【００２１】
上述したような従来のサブフィールド配列を用いたＰＤＰの発光の中心位置の周期性について，表示される階調及び適用されるＡＰＣレベル別に，比較をしてみる。
【００２２】
図４は，従来のＰＤＰのサブフィールド配列において上述したＡＰＣ法を適用した場合の，サブフィールドの位置と発光の中心位置を示した図である。図４（ａ）（ｂ）は，第１グループ（Ｇ１）のサブフィールド占有時間（発光時間）と第２グループ（Ｇ２）のサブフィールド占有時間（発光時間）とが等しい階調を表示した場合であり，（ａ）はＡＰＣレベルが最小である場合，（ｂ）はＡＰＣレベルが最大である場合をそれぞれ示す。また，図４（ｃ）は，第１グループ（Ｇ１）の発光時間が第２グループ（Ｇ２）の発光時間に比べて長くなる階調を表示した場合の図である。図の横軸は時間を表わし，縦軸は発光量を表わす。また，発光中心は，各サブフィールドグループ（Ｇ１またはＧ２）の最上位サブフィールドの発光位置であり，ここでは基本的に該当グループの最上位サブフィールドが発光すると仮定して説明を行なう。
【００２３】
上記ＡＰＣ法において，例えばＡＰＣレベルが最小である場合とは，入力映像信号の負荷率が最小で，サステインパルス数が最も小さくなるように制御される場合である。一方，ＡＰＣレベルが最大である場合とは，入力映像信号の負荷率が最大で，サステインパルス数が最も大きくなるように制御される場合である。
【００２４】
図４（ａ）のＡＰＣレベルが最小である場合，同一フレーム内の第１グループ（Ｇ１）の発光中心位置と第２グループ（Ｇ２）の発光中心位置との間の時間間隔（ＴＩＭＥ  Ｇ１Ｇ２）は，第２グループ（Ｇ２）の発光中心位置と次のフレームの第１グループ（Ｇ１）の発光中心位置との間の時間間隔（ＴＩＭＥ  Ｇ２Ｇ１）と等しい。すなわち，第１グループ（Ｇ１）と第２グループ（Ｇ２）の発光中心位置は周期性を有している。
【００２５】
また，図４（ｂ）のＡＰＣレベルが最大である場合同一フレーム内の第１グループ（Ｇ１）の発光中心位置と第２グループ（Ｇ２）の発光中心位置との間の時間間隔（ＴＩＭＥ  Ｇ１Ｇ２）と，第２グループ（Ｇ２）の発光中心位置と次のフレームの第１グループ（Ｇ１）の発光中心位置との間の時間間隔（ＴＩＭＥ  Ｇ２Ｇ１）は，ＡＰＣレベルが最小である場合と同様に等しくなっている。またこのとき，第１グループ（Ｇ１）及び第２グループ（Ｇ２）のサブフィールド占有時間は，ＡＰＣレベルが最小である場合と比較してそれぞれ短くなっている。すなわち，第１グループ（Ｇ１）のサブフィールド占有時間と第２グループ（Ｇ２）のサブフィールド占有時間とが等しい階調を形成する場合は，ＡＰＣレベルが変化しても，第１グループ（Ｇ１）と第２グループ（Ｇ２）の発光中心位置は各階調領域で周期性を有する。従って，図１に示された従来のサブフィールド構造では，ＡＰＣレベルに関係なくフリッカーの発生量が少なくなっていることがわかる。
【００２６】
【特許文献１】大韓民国公開特許第２０００−１６９５５号
【発明の開示】
【発明が解決しようとする課題】
【００２７】
しかし，図４の（ｃ）に示されているように，第１グループ（Ｇ１）のサブフィールド占有時間が第２グループ（Ｇ２）のサブフィールド占有時間よりも長くなる階調を形成する場合は，ＡＰＣレベルに関係なく，オン（ｏｎ）になる第１グループ（Ｇ１）の最上位サブフィールドと第２グループ（Ｇ２）の最上位サブフィールドの位置が変化する。図４の（ｃ）を参照すれば，第１グループ（Ｇ１）の発光中心位置と第２グループ（Ｇ２）の発光中心位置との間の時間間隔（ＴＩＭＥ  Ｇ１Ｇ２）は，第２グループ（Ｇ２）の発光中心位置と次のフレームの第１グループ（Ｇ１）の発光中心位置との間の時間間隔（ＴＩＭＥ  Ｇ２Ｇ１）と比べて小さくなっている。すなわち，第１グループ（Ｇ１）と第２グループ（Ｇ２）の発光中心位置は周期性を有しておらず，フリッカーが発生するという問題点がある。
【００２８】
そこで，本発明は，このような問題に鑑みてなされたもので，その目的とするところは，５０ＨｚのＰＡＬ映像信号が入力された際のフリッカーの発生及び動画疑似輪郭の発生を抑制することができ，特に入力映像信号が有する負荷率や階調の影響を受けることなくフリッカーの発生及び動画疑似輪郭の発生を抑制することができるプラズマディスプレイパネルの画像表示方法及びその装置を提供することにある。
【課題を解決するための手段】
【００２９】
上記課題を解決するために，本発明のある観点によれば，入力映像信号（映像データ）に対応してプラズマディスプレイパネルに表示される画像の各フレーム（フィールド）を所定の輝度比重値が割り付けられた複数個のサブフィールドに分割し，上記サブフィールドの発光有無を制御することにより上記輝度比重値を組み合わせて階調を表示するプラズマディスプレイパネルの画像表示方法において，上記複数個のサブフィールドは二個の連続的なサブフィールドグループで構成され，上記二個の連続的なサブフィールドグループのうちで時間上二番目に位置するサブフィールドグループに含まれたサブフィールドの個数が，上記二個の連続的なサブフィールドグループのうちで時間上一番目に位置するサブフィールドグループに含まれたサブフィールドの個数より多く，低階調を形成するための輝度比重値が割り付けられたサブフィールドが上記二番目に位置するサブフィールドグループに含まれ，上記入力映像信号の負荷率によって，上記二番目に位置するサブフィールドグループの開始時点が変化されること，を特徴とするプラズマディスプレイパネルの画像表示方法が提供される。
【００３０】
このような本発明にかかるプラズマディスプレイパネルの画像表示方法によれば，低階調を形成するための輝度比重値が割り付けられたサブフィールドが上記二番目に位置するサブフィールドグループに含まれるようにすることで，従来の低階調を形成するための輝度比重値が割り付けられたサブフィールドが上記一番目に位置するサブフィールドグループと上記二番目に位置するサブフィールドグループとに分散されていた場合と比較すると，低階調を形成するための輝度比重値が割り付けられたサブフィールド間の時間差がほとんどなくなるため，人間の視覚に認知される画像が移動する場合に階調と階調との境界で発生する動画疑似輪郭を低減させることができる。また，入力映像信号の負荷率によって上記二番目に位置するサブフィールドグループの開始時点が変化されるようにすることで，上記一番目に位置するサブフィールドグループの発光中心位置と上記二番目に位置するサブフィールドグループの発光中心位置との時間間隔が連続したフレームを通して周期性を有するようになるので，フリッカーを減少させることができる。上記入力映像信号の負荷率は，入力映像信号の平均信号レベルに対応し，個々のフレーム別に求められ，１つのフレームで発光される画素の数に比例する。
【００３１】
上記課題を解決するために，本発明の別の観点によれば，入力映像信号に対応してプラズマディスプレイパネルに表示される画像の各フレーム（フィールド）を所定の輝度比重値が割り付けられた複数個のサブフィールドに分割し，上記サブフィールドの発光有無を制御することにより上記輝度比重値を組み合わせて階調を表示するプラズマディスプレイパネルの画像表示方法において，上記入力映像信号がＰＡＬ信号であるか否かを識別する入力信号識別段階と，上記入力映像信号がＰＡＬ信号である場合，上記ＰＡＬ入力映像信号に対応するサブフィールドデータ及びアドレスデータと，上記入力映像信号の負荷率に応じたサステインパルス数及び各サブフィールドの開始位置に基づいたサブフィールド配列制御信号とを生成する表示データ生成段階と，上記生成されたサブフィールドデータ，アドレスデータ及びサブフィールド配列制御信号を上記プラズマディスプレイパネルに印加する表示段階とを含み，上記ＰＡＬ入力映像信号に対応するサブフィールドデータは，二個の連続的なサブフィールドグループで構成されるサブフィールドに対応し，上記二個の連続的なサブフィールドグループのうちで時間上二番目に位置するサブフィールドグループに含まれたサブフィールドの個数が，上記二個の連続的なサブフィールドグループのうちで時間上一番目に位置するサブフィールドグループに含まれたサブフィールドの個数より多く，低階調を形成するための輝度比重値が割り付けられたサブフィールドが上記二番目に位置するサブフィールドグループに含まれるように形成されること，を特徴とするプラズマディスプレイパネルの画像表示方法が提供される。
【００３２】
このような本発明にかかるプラズマディスプレイパネルの画像表示方法によれば，低階調を形成するための輝度比重値が割り付けられたサブフィールドが上記二番目に位置するサブフィールドグループに含まれるようにすることで，従来の低階調を形成するための輝度比重値が割り付けられたサブフィールドが上記一番目に位置するサブフィールドグループと上記二番目に位置するサブフィールドグループとに分散されていた場合と比較すると，低階調を形成するための輝度比重値が割り付けられたサブフィールド間の時間差がほとんどなくなるため，人間の視覚に認知される画像が移動する場合に階調と階調との境界で発生する動画疑似輪郭を低減させることができる。また，入力映像信号の負荷率に応じたサステインパルス数及び各サブフィールドの開始位置に基づいたサブフィールド配列制御信号を生成することにより，上記負荷率に応じてサステインパルス数及び各サブフィールドの開始位置を変化させることができ，このとき上記一番目に位置するサブフィールドグループの発光中心位置と上記二番目に位置するサブフィールドグループの発光中心位置との時間間隔が連続したフレームを通して周期性を有するようにサブフィールド配列制御信号を生成すれば，フリッカーを減少させることができる。ここで，サブフィールドグループの発光中心位置とは，当該サブフィールドグループの最上位サブフィールドの発光位置である。
【００３３】
ここで，上記低階調を形成するための輝度比重値は，上記複数個のサブフィールドに割り付けられる輝度比重値の中で最下位ビット（ＬＳＢ：Ｌｅａｓｔ  Ｓｉｇｎｉｆｉｃａｎｔ  Ｂｉｔ）及び最下位の次に大きいビット（ＬＳＢ＋１）の輝度比重値であることが望ましい。このようにすることで，特に，滑らかな画像を形成するための誤差拡散処理を行った場合の動画疑似輪郭を低減させることができる。
【００３４】
そして，上記低階調を形成するための輝度比重値が割り付けられたサブフィールドは，上記二番目に位置するサブフィールドグループの開始地点に位置するようにすることが望ましい。このようにすることで，上記最下位ビット及び最下位の次に大きいビットの輝度比重値を有するサブフィールドが，上記二番目に位置するサブフィールドグループの開始地点に位置して互いの時間間隔が殆どなくなるので，動画疑似輪郭を低減させることができる。
【００３５】
また，上記負荷率が大きい場合の上記二番目のサブフィールドグループの開始時点が，上記負荷率が小さい場合の上記二番目のサブフィールドグループの開始時点よりも時間的に早い時点であるようにすれば，上記二番目のサブフィールドグループの開始位置は上記負荷率に応じて変化し，このようにして上記二番目のサブフィールドグループの開始位置を上記負荷率に応じて変化させることにより，上記一番目に位置するサブフィールドグループの発光中心位置と上記二番目に位置するサブフィールドグループの発光中心位置との時間間隔が連続したフレームを通して周期性を有するように制御することができ，フリッカーを減少させることができる。
【００３６】
また，上記一番目のサブフィールドグループの占有時間に上記一番目のサブフィールドグループの休止期間が含まれ，上記一番目のサブフィールドグループの占有時間は上記負荷率に応じて変化されることが望ましい。そして，上記一番目のサブフィールドグループの占有時間は，上記負荷率が大きくなるにしたがって減少するようにするのがよい。
【００３７】
上記課題を解決するために，本発明の別の観点によれば，入力映像信号に対応してプラズマディスプレイパネルに表示される画像の各フレーム（フィールド）を所定の輝度比重値が割り付けられた複数個のサブフィールドに分割し，上記サブフィールドの発光有無を制御することにより上記輝度比重値を組み合わせて階調を表示するプラズマディスプレイパネルの画像表示方法において，上記複数個のサブフィールドは二個の連続的なサブフィールドグループで構成され，上記二個の連続的なサブフィールドグループのうちで時間上二番目に位置するサブフィールドグループに含まれたサブフィールドの個数が，上記二個の連続的なサブフィールドグループのうちで時間上一番目に位置するサブフィールドグループに含まれたサブフィールドの個数より多く，低階調を形成するための輝度比重値が割り付けられたサブフィールドが上記二番目に位置するサブフィールドグループに含まれ，上記入力映像信号の負荷率の変動に関係なく，フレーム内に各々形成されるサブフィールドグループ間の発光中心が周期的に形成されるようにすること，を特徴とするプラズマディスプレイパネルの画像表示方法が提供される。
【００３８】
このような本発明にかかるプラズマディスプレイパネルの画像表示方法によれば，低階調を形成するための輝度比重値が割り付けられたサブフィールドが上記二番目に位置するサブフィールドグループに含まれるようにすることで，従来の低階調を形成するための輝度比重値が割り付けられたサブフィールドが上記一番目に位置するサブフィールドグループと上記二番目に位置するサブフィールドグループとに分散されていた場合と比較すると，低階調を形成するための輝度比重値が割り付けられたサブフィールド間の時間差がほとんどなくなるため，人間の視覚に認知される画像が移動する場合に階調と階調との境界で発生する動画疑似輪郭を低減させることができる。また，入力映像信号の負荷率の変動に関係なく，フレーム内に各々形成されるサブフィールドグループ間の発光中心，すなわち各サブフィールドグループの最上位サブフィールドの発光位置が周期的に形成されるようにすることで，フリッカーを減少させることができる。
【００３９】
このとき，上記サブフィールドグループ間の発光中心の周期的形成は，上記同一フレーム内に形成される一番目のサブフィールドグループと二番目のサブフィールドグループとの間の発光中心の時間間隔と，二番目のサブフィールドグループと隣接するフレーム内に形成される一番目のサブフィールドグループとの間の発光中心の時間間隔とが同一になるようにすることによって行われるようにするのが望ましい。
【００４０】
上記課題を解決するために，本発明の別の観点によれば，入力映像信号に対応してプラズマディスプレイパネルに表示される画像の各フレーム（フィールド）を所定の輝度比重値が割り付けられた複数個のサブフィールドに分割し，上記サブフィールドの発光有無を制御することにより上記輝度比重値を組み合わせて階調を表示するプラズマディスプレイパネルの画像表示装置において，上記入力映像信号をデジタル化してデジタル映像データを生成する映像信号処理部と，上記映像信号処理部から出力されるデジタル映像データを分析して，入力される映像データがＮＴＳＣ信号であるか又はＰＡＬ信号であるかを検出し，その結果をデータスイッチ値にして上記デジタル映像データと共に出力する垂直周波数検出部と，上記垂直周波数検出部で生成されるデジタル映像データ及びデータスイッチ値を受信し，上記データスイッチ値に応じてＮＴＳＣ映像信号又はＰＡＬ映像信号に対応するサブフィールドデータ及びアドレスデータを生成してプラズマディスプレイパネルに印加するメモリ制御部と，上記垂直周波数検出部から出力されるデジタル映像データの負荷率を検出し，検出された負荷率によって自動電力制御（ＡＰＣ：Ａｕｔｏｍａｔｉｃ  Ｐｏｗｅｒ  Ｃｏｎｔｒｏｌ）レベルを計算し，計算された自動電力制御レベルに対応するサステインパルス数を算出して出力する自動電力制御部（ＡＰＣ部）と，上記自動電力制御部から出力される負荷率によって各サブフィールド期間の変化範囲を判断し，判断された変化範囲内で各サブフィールドの開始位置を決定するサブフィールド変化範囲判断部と，上記サブフィールド変化範囲判断部から出力されるサステインパルス数，各サブフィールドのアドレス期間のパルス幅，各サブフィールドの開始位置，及びデータスイッチ値を受信し，上記データスイッチ値によってＮＴＳＣ映像信号の場合またはＰＡＬ映像信号の場合に応じたサブフィールド配列を生成し，生成されたサブフィールド配列に基づく制御信号を生成してプラズマディスプレイパネルに印加する維持・走査パルス駆動部と，を含み，上記ＰＡＬ入力映像信号に対応するサブフィールドデータは，二個の連続的なサブフィールドグループで構成されるサブフィールドに対応し，上記二個の連続的なサブフィールドグループのうちで時間上二番目に位置するサブフィールドグループに含まれたサブフィールドの個数が，上記二個の連続的なサブフィールドグループのうちで時間上一番目に位置するサブフィールドグループに含まれたサブフィールドの個数より多く，低階調を形成するための輝度比重値が割り付けられたサブフィールドが上記二番目に位置するサブフィールドグループに含まれるように形成されることを特徴とするプラズマディスプレイパネルの画像表示装置が提供される。
【００４１】
このような本発明にかかるプラズマディスプレイパネルの画像表示装置によれば，低階調を形成するための輝度比重値が割り付けられたサブフィールドが上記二番目に位置するサブフィールドグループに含まれるようにすることで，従来の低階調を形成するための輝度比重値が割り付けられたサブフィールドが上記一番目に位置するサブフィールドグループと上記二番目に位置するサブフィールドグループとに分散されていた場合と比較すると，低階調を形成するための輝度比重値が割り付けられたサブフィールド間の時間差がほとんどなくなるため，人間の視覚に認知される画像が移動する場合に階調と階調との境界で発生する動画疑似輪郭を低減させることができる。また，入力映像信号の負荷率によって各サブフィールド期間の変化範囲を判断し，判断された変化範囲内で各サブフィールドの開始位置を決定するサブフィールド変化範囲判断部を設けることにより，負荷率によって各サブフィールドの開始位置が変化するように制御でき，上記一番目に位置するサブフィールドグループの発光中心位置と上記二番目に位置するサブフィールドグループの発光中心位置との時間間隔が連続したフレームを通して周期性を有するようにすることができるので，フリッカーを減少させることができる。
【００４２】
このとき，上記サブフィールド変化範囲判断部は，上記負荷率が大きい場合の上記二番目のサブフィールドグループの開始時点が，上記負荷率が小さい場合の上記二番目のサブフィールドグループの開始時点より時間的に早い時点となるようにすれば，上記二番目のサブフィールドグループの開始位置は上記負荷率に応じて変化し，このようにして上記二番目のサブフィールドグループの開始位置を上記負荷率に応じて変化させることにより，上記一番目に位置するサブフィールドグループの発光中心位置と上記二番目に位置するサブフィールドグループの発光中心位置との時間間隔が連続したフレームを通して周期性を有するように制御することができ，フリッカーを減少させることができる。
【００４３】
上記課題を解決するために，本発明の別の観点によれば，入力映像信号に対応してプラズマディスプレイパネルに表示される画像の各フレーム（フィールド）を所定の輝度比重値が割り付けられた複数個のサブフィールドに分割し，上記サブフィールドの発光有無を制御することにより上記輝度比重値を組み合わせて階調を表示するプラズマディスプレイパネルの画像表示装置において，上記入力映像信号がＰＡＬ信号であるか否かを識別する入力信号識別機能と，上記入力映像信号がＰＡＬ信号である場合，上記ＰＡＬ入力映像信号に対応するサブフィールドデータ及びアドレスデータと，上記入力映像信号の負荷率に応じたサステインパルス数及び各サブフィールドの開始位置に基づいたサブフィールド配列制御信号とを生成する表示データ生成機能と，上記生成されたサブフィールドデータ，アドレスデータ及びサブフィールド配列制御信号を上記プラズマディスプレイパネルに印加する表示機能と，を有し，上記ＰＡＬ入力映像信号に対応するサブフィールドデータは，二個の連続的なサブフィールドグループで構成されるサブフィールドに対応し，上記二個の連続的なサブフィールドグループのうちで時間上二番目に位置するサブフィールドグループに含まれたサブフィールドの個数が，上記二個の連続的なサブフィールドグループのうちで時間上一番目に位置するサブフィールドグループに含まれたサブフィールドの個数より多く，低階調を形成するための輝度比重値が割り付けられたサブフィールドが上記二番目に位置するサブフィールドグループに含まれるように形成されるようにすること，を実現するプログラムが保存された記録媒体を有すること，を特徴とするプラズマディスプレイパネルの画像表示装置が提供される。
【００４４】
このような本発明にかかるプラズマディスプレイパネルの画像表示装置によれば，低階調を形成するための輝度比重値が割り付けられたサブフィールドが上記二番目に位置するサブフィールドグループに含まれるようにすることで，従来の低階調を形成するための輝度比重値が割り付けられたサブフィールドが上記一番目に位置するサブフィールドグループと上記二番目に位置するサブフィールドグループとに分散されていた場合と比較すると，低階調を形成するための輝度比重値が割り付けられたサブフィールド間の時間差がほとんどなくなるため，人間の視覚に認知される画像が移動する場合に階調と階調との境界で発生する動画疑似輪郭を低減させることができる。また，入力映像信号の負荷率に応じたサステインパルス数及び各サブフィールドの開始位置に基づいたサブフィールド配列制御信号を生成することにより，上記負荷率に応じてサステインパルス数及び各サブフィールドの開始位置を変化させることができ，このとき上記一番目に位置するサブフィールドグループの発光中心位置と上記二番目に位置するサブフィールドグループの発光中心位置との時間間隔が連続したフレームを通して周期性を有するようにサブフィールド配列制御信号を生成すれば，フリッカーを減少させることができる。
【発明の効果】
【００４５】
本発明によれば，低階調を形成するための輝度比重値が割り付けられたサブフィールドが同一サブフィールドグループに含まれるようにして当該サブフィールド間の時間間隔を短くすることにより動画疑似輪郭を抑制し，また，入力映像信号の負荷率に応じてサブフィールド開始位置を変化させてサブフィールドグループ間の発光中心が周期的に維持されるようにすることによりフリッカーを抑制することができる，プラズマディスプレイパネルの画像表示方法及びその装置を提供できるものである。
【発明を実施するための最良の形態】
【００４６】
以下に添付図面を参照しながら，本発明の好適な実施の形態について詳細に説明する。なお，本明細書及び図面において，実質的に同一の機能構成を有する構成要素については，同一の符号を付することにより重複説明を省略する。また，本発明は，互いに異なる多様な形態で実現することができ，ここで説明する実施の形態または実施例に限定されない。図面では，本発明を明確に説明するために説明と関係のない部分は省略した。
【００４７】
本発明の第１の実施の形態にかかるプラズマディスプレイパネル（Ｐｌａｓｍａ  Ｄｉｓｐｌａｙ  Ｐａｎｅｌ：以下，ＰＤＰとする）の画像表示方法について詳細に説明する。図５は，第１の実施の形態におけるサブフィールドの構造を示す図である。
【００４８】
図５に図示されているように，本発明の第１の実施の形態によるフレームは，二個のサブフィールドグループ（Ｇ１）（Ｇ２）からなる。また，休止期間（休止期間３，休止期間４）が二つ設けられ，これら休止期間は各グループ（Ｇ１）（Ｇ２）の縦断にそれぞれ位置する。
【００４９】
第１グループ（Ｇ１）は６個のサブフィールドからなり，各輝度比重値は下位サブフィールドから４，８，１６，２４，３２，４０に設定されるが，使用形態に応じて当業者によって変更することは可能である。第２グループ（Ｇ２）は８個のサブフィールドからなり，各輝度比重値は下位サブフィールドから１，２，４，８，１６，２４，３２，４０に設定されるが，第１グループ（Ｇ１）に設定された輝度比重値に応じて当業者によって異なるように設定することができる。この第２グループ（Ｇ２）のサブフィールド配列は，第１グループ（Ｇ１）のサブフィールド配列に１と２の輝度比重値を有するＬＳＢ及びＬＳＢ＋１のサブフィールドが隣接するようにさらに追加された配列である。
【００５０】
ここで，第１グループ（Ｇ１）はフレームの開始位置，つまり，０ｍｓから始まり，負荷率が最小であるので，ＡＰＣが動作しない場合，第１グループ（Ｇ１）の休止期間（休止期間３）を含んだ総期間（Ａ）は１０ｍｓより小さく設定される。これに対し，第２グループ（Ｇ２）の休止期間（休止期間４）を含む総期間は１０ｍｓより大きく設定される。第１の実施の形態では，ＡＰＣが作動しない場合（ＡＰＣレベルが最小の場合）も作動する場合も，第２グループ（Ｇ２）の開始位置は同じ位置となるように休止期間が設けられる。
【００５１】
図６は，第１の実施の形態によるサブフィールド配列を用いて低階調を表示する場合に用いるサブフィールドの組み合わせを示す図である。
【００５２】
図６に示されているように，低階調，例えば０〜１１の低階調を第１の実施の形態によるサブフィールド配列を用いて表現する場合，輝度比重値１及び２，つまり，ＬＳＢ（最下位ビット）及びＬＳＢ＋１に該当するサブフィールド間の時間差は無視できる程に小さくなる。
【００５３】
例えば，レベルが３の低階調を表示する場合，第２グループ（Ｇ２）の最下位サブフィールドＳＦ１（階調レベル１）とＳＦ２（階調レベル２）がオンになる。この場合，オンになるサブフィールドＳＦ１とＳＦ２が全て第２グループ（Ｇ２）内にあるので，これらサブフィールド間の時間差はほとんどない。
【００５４】
このように第１の実施の形態のサブフィールド配列では，低階調を形成するのに用いられるＬＳＢ及びＬＳＢ＋１に該当するサブフィールドを第２グループ（Ｇ２）の開始位置に隣接するように配置しているので，ＬＳＢ及びＬＳＢ＋１に該当するサブフィールド，すなわち輝度の低いサブフィールドの時間差がほとんどなくなるため，人間の視覚に認知される画像が移動する場合に階調と階調との境界で発生する動画疑似輪郭を相当低減させることができる。
【００５５】
図７は，第１の実施の形態によるサブフィールド配列を用いた際の，隣接するフレームの階調が４と３である画像が移動した場合に発生する疑似輪郭を説明する概念図である。
【００５６】
図７は，画像がフレームＮからフレームＮ＋１に移動した場合を示す。図７の目が斜線で示された方向に画像を追うと，認識される階調は，斜線が通過する際に発光している（オンとなっている）サブフィールドの平均値となる。図の右下に示された折れ線に示された数値が認識される階調，すなわち歪曲された階調であり，左から順に４，２，３．５，１．５，３となっている。従って，疑似輪郭が発生する地点は２，３．５，１．５の階調を有する総３地点であり，元の階調の最高階調であるレベル４と，歪曲された階調との差の値は，それぞれ２，０．５，２．５となる。これは，図３の従来のサブフィールド構造を用いた場合と比較すると，発生する疑似輪郭の個数も減少し，歪曲された階調値と元の階調値との差も半分の水準に減少していることが分かる。
【００５７】
したがって，第１の実施の形態によるサブフィールド構造では，従来のＰＤＰサブフィールド構造と比較すると疑似輪郭の発生が相当減少する。図３及び図７からわかるように，発光しているサブフィールドとサブフィールドとの間に発光していないサブフィールドが存在すると，その画像が移動した際に疑似輪郭が発生する地点の数が増える。特に，滑らかな画像を形成するために誤差拡散を行う場合，例えば周辺の画素の階調レベルを１レベル上げたり下げたりする処理，すなわちＬＳＢまたはＬＳＢ＋１のサブフィールドをオン・オフさせる処理が行われるので，このようなＬＳＢまたはＬＳＢ＋１が離れた位置に位置すると人の目には著しい疑似輪郭として認識される。従って，第１の実施の形態のように低階調を形成するのに用いられるＬＳＢ及びＬＳＢ＋１に該当するサブフィールドを隣接して配置することは，疑似輪郭を最小化するのに非常に大きな効果を奏する。
【００５８】
一方，第１の実施の形態によるサブフィールド構造に，ＡＰＣ（自動電力制御：Ａｕｔｏｍａｔｉｃ  Ｐｏｗｅｒ  Ｃｏｎｔｒｏｌ）を適用した場合の，サブフィールド占有時間やその位置について比較をしてみる。ＡＰＣは，入力映像信号（映像データ）の負荷率に応じて各サブフィールドに適用されるサステインパルス数を変化させることによりＰＤＰの消費電力を抑制する方法である。このとき負荷率は，入力映像信号の平均信号レベルに対応し，個々のフレーム別に求められ，１つのフレームで発光される画素の数に比例する。
【００５９】
図８は，図５に示されたサブフィールド構造にＡＰＣを適用した場合の，サブフィールドの位置と発光の中心位置を示した図である。図８（ａ）はＡＰＣレベルが最小である場合，図８（ｂ）はＡＰＣレベルが最大である場合を示す。図の横軸は時間を表わし，縦軸は発光量を表わす。また，発光中心は，各サブフィールドグループ（Ｇ１またはＧ２）の最上位サブフィールドの発光位置であり，ここでは基本的に該当グループの最上位サブフィールドが発光すると仮定して説明を行なう。
【００６０】
上記ＡＰＣ法において，例えばＡＰＣレベルが最小である場合とは，入力映像信号の負荷率が最小で，サステインパルス数が最も小さくなるように制御される場合である。一方，ＡＰＣレベルが最大である場合とは，入力映像信号の負荷率が最大で，サステインパルス数が最も大きくなるように制御される場合である。
【００６１】
図８（ａ）のＡＰＣレベルが最小である場合，同一フレーム内の第１グループ（Ｇ１）の発光中心位置と第２グループ（Ｇ２）の発光中心位置との間の間隔は，例えば１１ｍｓである。これに対し，第２グループ（Ｇ２）の発光中心位置と次のフレームの第１グループ（Ｇ１）の発光中心位置との間の間隔は，例えば９ｍｓであり，Ｇ１−Ｇ２間の間隔の１１ｍｓと比較すると若干小さい。この距離の差は，ＡＰＣレベルが最小，即ち入力映像信号の負荷率が最小であり画面全体の輝度が低い場合には，人の目にはフリッカーとして感知されにくいので特に問題にはならない。
【００６２】
図８（ｂ）のＡＰＣレベルが最大になる場合，第１グループ（Ｇ１）及び第２グループ（Ｇ２）のサブフィールド占有時間は，ＡＰＣレベルが最小である場合と比較してそれぞれ短くなっている。一方，同一フレーム内の第１グループ（Ｇ１）の発光中心位置と第２グループ（Ｇ２）の発光中心位置との間の間隔は，図８（ａ）に示されたＡＰＣレベルが最小である場合と同一である。また，第２グループ（Ｇ２）の発光中心位置と次のフレームの第１グループ（Ｇ１）の発光中心位置との間の間隔も，図８の（ａ）に示されたＡＰＣレベルが最小である場合と同一である。
【００６３】
これは，ＡＰＣレベルが作動したり又は最大になる場合，各グループ（Ｇ１）（Ｇ２）に印加するサステインパルスの総パルス数を制御してＰＤＰの消費電力を抑制しているので，図８（ｂ）に示されたように，第１グループ（Ｇ１）及び第２グループ（Ｇ２）の各サブフィールド期間はＡＰＣレベルが最小である場合と比較して減少する一方で，休止期間（休止期間３，休止期間４）は逆に増加するからである。すなわち，図８（ａ）（ｂ）に示されるように，第２グループ（Ｇ２）の開始時点はＡＰＣレベルが最小である場合と同一になり，同一フレーム内の第１グループ（Ｇ１）の発光中心位置と第２グループ（Ｇ２）の発光中心位置との間の間隔は，第２グループ（Ｇ２）の発光中心位置と次のフレームの第１グループ（Ｇ１）の発光中心位置との間の間隔よりも長くなる。このように，各グループ（Ｇ１）（Ｇ２）の発光中心位置の間隔は，ＡＰＣレベルに関係なく，常にＡＰＣレベルが最小の場合と同一になる。
【００６４】
すなわち，第１の実施の形態のサブフィールド構成では，ＡＰＣレベルの変化に関係なくサブフィールドの開始位置が固定されているため，第２グループ（Ｇ２）の開始時点もＡＰＣレベルに関係なく固定されることになる。従って，各グループ（Ｇ１）（Ｇ２）の発光中心が非周期的に形成されてフリッカーが発生することになる。このフリッカーは，入力映像信号の負荷率が低くＡＰＣが最小である場合には人の目には感知されないので問題にならないが，入力映像信号の負荷率が高い場合には人の目に感知されるようになるという問題点がある。
【００６５】
このような問題点を改善するために，本発明の第２の実施の形態にかかるサブフィールド構造について詳細に説明する。第２の実施の形態では，ＡＰＣが作動しない場合（ＡＰＣレベルが最小の場合）と作動する場合とで，第２グループ（Ｇ２）の開始位置が異なるように休止期間が設けられる。
【００６６】
図９は，第２の実施の形態によるサブフィールド構造を示した図である。図９（ａ）はＡＰＣレベルが最小である場合，図９（ｂ）はＡＰＣレベルが中間である場合，図９（ｃ）はＡＰＣレベルが最大である場合を示している。
【００６７】
図９（ａ）の，第２の実施の形態のＡＰＣレベルが最小である場合のサブフィールド構造は，図５の第１の実施の形態のサブフィールド構造と同一であるので，ここでは詳細な説明を省略する。
【００６８】
図９（ｂ）は，負荷率が中程度であって中間のＡＰＣレベルでＡＰＣが動作する場合のサブフィールド構造である。第１グループ（Ｇ１）の占有時間（Ｂ）は，図９（ａ）のＡＰＣが動作しない場合の第１グループ（Ｇ１）の占有時間（Ａ）よりも小さい。つまり，Ｂ＜Ａとなる。したがって，第２グループ（Ｇ２）の開始位置は，図９（ａ）のＡＰＣが動作しない場合の第２グループ（Ｇ２）の開始位置と比較すると時間的に手前になる。この時，休止期間５は，ＡＰＣが動作しない場合の休止期間３と同一であるか又は若干大きい程度に固定される。また，第１グループ（Ｇ１）の占有時間（Ｂ）が減少して更に第２グループ（Ｇ２）の占有時間もＡＰＣの作動により減少するので，休止期間６はＡＰＣが動作しない場合の休止期間４と比較すると非常に大きくなる。
【００６９】
図９（ｃ）は，負荷率が最大であって最大のＡＰＣレベルでＡＰＣが動作する場合のサブフィールド構造である。第１グループ（Ｇ１）の占有時間（Ｃ）は最大に減少して，図９（ａ）の占有時間（Ａ）及び図９（ｂ）の占有時間（Ｂ）よりも小さくなる。つまり，Ｃ＜Ｂ＜Ａとなる。この時，休止期間７は，図９（ａ）の休止期間３及び図９（ｂ）の休止期間５と同一であるか又は若干大きい程度に固定される。また，休止期間８は，図９（ａ）の休止期間４及び図９（ｂ）の休止期間６よりも大きくなる。
【００７０】
図１０は，図９に示されたサブフィールド構造にＡＰＣを適用した場合の，サブフィールドの位置と発光の中心位置を示した図である。図１０（ａ）はＡＰＣレベルが最小である場合，図１０（ｂ）はＡＰＣレベルが最大である場合を示す。図の横軸は時間を表わし，縦軸は発光量を表わす。また，発光中心は，各サブフィールドグループ（Ｇ１またはＧ２）の最上位サブフィールドの発光位置であり，ここでは基本的に該当グループの最上位サブフィールドが発光すると仮定して説明を行なう。
【００７１】
図１０（ａ）の，第２の実施の形態のＡＰＣレベルが最小である場合については，図８（ａ）の第１の実施の形態と同様なので，ここでは詳細な説明を省略する。
【００７２】
図１０（ｂ）のＡＰＣレベルが最大になる場合，第１グループ（Ｇ１）及び第２グループ（Ｇ２）のサブフィールド占有時間は，ＡＰＣレベルが最小である場合と比較してそれぞれ短くなっている。また，休止期間７は休止期間３と同一であるか又は若干大きい程度に固定され，休止期間８は増加する。
【００７３】
すなわち，第２グループ（Ｇ２）の開始時点は，ＡＰＣのレベルによってが第１グループ（Ｇ１）側に変化する。従って，同一フレーム内の第１グループ（Ｇ１）の発光中心位置と第２グループ（Ｇ２）の発光中心位置との間の間隔は，例えば１０ｍｓと，第１の実施の形態と比較すると短くなる。反対に，第２グループ（Ｇ２）の発光中心位置と次のフレームの第１グループ（Ｇ１）の発光中心位置との間の間隔は，例えば１０ｍｓと，第１の実施の形態と比較すると長くなる。
【００７４】
このように，同一フレーム内や他のフレームのサブフィールドグループの発光中心位置を変化させて，各発光中心間の時間の間隔が同一になるように（例えば，１０ｍｓ）すれば，サブフィールドグループ（Ｇ１）（Ｇ２）間の発光中心位置間の間隔が周期性を有するようになり，フリッカーの発生を減少させることができる。
【００７５】
したがって，第２グループ（Ｇ２）の開始位置の変化は，第１グループ（Ｇ１）の発光中心位置と第２グループ（Ｇ２）の発光中心位置との間の間隔と，第２グループ（Ｇ２）の発光中心位置と次のフレームの第１グループ（Ｇ１）の発光中心位置との間の間隔とが同一又は類似の値になる範囲内で変化されなければならない。
【００７６】
図１１は，ＡＰＣレベルとサブフィールド期間（占有時間）との関係を示した図である。図１１（ａ）は，第１の実施の形態によるサブフィールド構造の場合であり，図１１（ｂ）は第２の実施の形態によるサブフィールド構造の場合である。図１１（ａ）においては，Ｇ２の開始点が固定されているため，ＡＰＣレベルが増加するほどＧ１−Ｇ２の間隔が広くなり，同時にＧ２−Ｇ１の間隔も広くなっている。一方，図１１（ｂ）においては，Ｇ２の開始点がＡＰＣレベルが増加するほどＧ１の方に移動するため，ＡＰＣレベルが増加するほど，Ｇ１−Ｇ２の間隔は図１１（ａ）と比較して狭くなる一方で，Ｇ２−Ｇ１の間隔は図１１（ａ）と比較して広くなる。
【００７７】
図１１（ａ）及び図１１（ｂ）に示されているように，第１の実施の形態のサブフィールド構造によるＡＰＣレベルによるサブフィールド期間に比べて，第２の実施の形態のサブフィールド構造によるＡＰＣレベルによるサブフィールド期間が，第２グループ（Ｇ２）の開始位置の変化により各グループ（Ｇ１）（Ｇ２）に対してその間隔が小さくなるように形成されるので，フリッカーの発生が減少する。
【００７８】
図１２は，本発明の第１及び第２の実施の形態にかかるＰＤＰの画像表示装置のブロック図である。
【００７９】
第１及び第２の実施の形態にかかるＰＤＰの画像表示装置は，映像信号処理部１００，垂直周波数検出部２００，ガンマ補正及び誤差拡散部３００，メモリ制御部４００，アドレス駆動部５００，ＡＰＣ部６００，サブフィールド変化範囲判断部７００，維持・走査パルス駆動制御部８００及び維持・走査パルス駆動部９００を含む。
【００８０】
映像信号処理部１００は，外部から入力される映像信号をデジタル化してデジタル映像データを生成する。
【００８１】
垂直周波数検出部２００は，映像信号処理部１００から出力されるデジタル映像データを分析して，入力される映像データが６０ＨｚのＮＴＳＣ信号であるか又は５０ＨｚのＰＡＬ信号であるかを判断し，その結果をデータスイッチ値にしてデジタル映像データと共に出力する。
【００８２】
ガンマ補正及び誤差拡散部３００は，垂直周波数検出部２００から出力されるデジタル映像データを受信してＰＤＰの特性に合うようにガンマ値を補正すると同時に，表示誤差の周辺の画素に対する拡散処理を行って出力する。この時，垂直周波数検出部２００から出力される映像信号が５０Ｈｚ又は６０Ｈｚのうちのどの映像信号であるかを示すデータスイッチ値は，そのままメモリ制御部４００及びＡＰＣ部６００に出力される。
【００８３】
メモリ制御部４００は，ガンマ補正及び誤差拡散部３００から出力されるデジタル映像データ及びデータスイッチ値を受信し，データスイッチ値によって５０Ｈｚ映像信号である場合と６０Ｈｚ映像信号である場合とを分離して，入力されるデジタル映像データに対応するサブフィールドデータを生成する。
【００８４】
データスイッチ値が６０Ｈｚの映像信号である場合には，従来の１フレームに一つのサブフィールドグループを有する構成のサブフィールドデータを生成する方式を用いて，デジタル映像データに対応するサブフィールドデータを生成する。
【００８５】
一方，データスイッチ値が５０Ｈｚの映像信号である場合には，図５及び図９（ａ）に示したように１フレームを二個のサブフィールドグループ（Ｇ１）（Ｇ２）に分割し，第１グループ（Ｇ１）には６個のサブフィールドが，第２グループ（Ｇ２）には８個のサブフィールドがそれぞれ存在するようにサブフィールドデータを生成する。このように生成されるサブフィールドデータは，メモリ制御部４００によりメモリ入出力処理されてアドレス駆動部５００に出力される。
【００８６】
アドレス駆動部５００は，メモリ制御部４００から出力されるサブフィールドデータに対応するアドレスデータを生成して，ＰＤＰ１０００のアドレス電極（Ａ１，Ａ２，…，Ａｍ）に印加する。
【００８７】
一方，ＡＰＣ部６００（自動電力制御部）は，ガンマ補正及び誤差拡散部３００から出力される映像データを用いて負荷率を検出し，検出された負荷率によってＡＰＣレベル（自動電力制御レベル）を計算し，計算されたＡＰＣレベルに対応する維持放電パルス数などを算出して出力する。
【００８８】
サブフィールド変化範囲判断部７００は，ＡＰＣ部６００から出力される負荷率によって各サブフィールド期間の変化範囲を判断し，判断された変化範囲内で各サブフィールドの開始位置を決定する。
【００８９】
維持・走査パルス駆動制御部８００は，サブフィールド変化範囲判断部７００から出力される維持放電パルス数，各サブフィールドの開始位置及びデータスイッチ値を受信し，データスイッチ値によって，５０Ｈｚ映像信号である場合または６０Ｈｚ映像信号である場合に応じたサブフィールド配列構造を生成して，維持・走査パルス駆動部９００に出力する。
【００９０】
維持・走査パルス駆動部９００は，維持・走査パルスの駆動制御部８００から出力されるサブフィールド配列構造に基づくサステインパルス及び走査パルスを生成して，ＰＤＰ１０００の走査電極（Ｘ１，Ｘ２，…，Ｘｎ）と維持電極（Ｙ１，Ｙ２，…，Ｙｎ）に印加する。
【００９１】
上述した，第１及び第２の実施の形態にかかるＰＤＰの画像表示装置の動作について説明する。
【００９２】
先ず，入力信号識別段階にて，入力映像信号がＰＡＬ信号であるか否かを識別する。次に，表示データ生成段階にて，上記入力映像信号がＰＡＬ信号である場合，上記ＰＡＬ入力映像信号に対応するサブフィールドデータ及びアドレスデータと，上記入力映像信号の負荷率に応じたサステインパルス数及び各サブフィールドの開始位置に基づいたサブフィールド配列制御信号とを生成する。このとき，上記ＰＡＬ入力映像信号に対応するサブフィールドデータは，二個の連続的なサブフィールドグループで構成されるサブフィールドに対応し，上記二個の連続的なサブフィールドグループのうちで時間上二番目に位置するサブフィールドグループに含まれたサブフィールドの個数が，上記二個の連続的なサブフィールドグループのうちで時間上一番目に位置するサブフィールドグループに含まれたサブフィールドの個数より多く，低階調を形成するための輝度比重値が割り付けられたサブフィールドが上記二番目に位置するサブフィールドグループに含まれるように形成される。そして，表示段階にて，上記生成されたサブフィールドデータ，アドレスデータ及びサブフィールド配列制御信号をプラズマディスプレイパネルに印加する。
【００９３】
上述したように，上記ＰＤＰの画像表示装置は，入力映像信号がＰＡＬ信号であるか否かを識別する入力信号識別機能と，入力映像信号がＰＡＬ信号である場合，ＰＡＬ入力映像信号に対応するサブフィールドデータ及びアドレスデータと，入力映像信号の負荷率に応じたサステインパルス数及び各サブフィールドの開始位置に基づいたサブフィールド配列制御信号とを生成する表示データ生成機能と，生成されたサブフィールドデータ，アドレスデータ及びサブフィールド配列制御信号をプラズマディスプレイパネルに印加する表示機能と，有する。このような機能はソフトウェアで実現することができ，例えばプログラムとしてＰＤＰの画像表示装置の記録媒体に保存しておくことにより，実現することができる。
【００９４】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００９５】
本発明は，２値表示を行う表示装置に適用可能であり，特にプラズマディスプレイパネルなどの２値表示を用いて階調表示を行なう表示装置に適用可能である。
【図面の簡単な説明】
【００９６】
【図１】従来のサブフィールド配列を示す図である。
【図２】従来のサブフィールド配列を用いて低階調を表示する際のサブフィールドの組み合わせ例を示す図である。
【図３】従来のサブフィールド配列を用いた際に隣接階調が４と３の画像が移動した場合に発生する疑似輪郭の発生概念を示す図である。
【図４】従来のサブフィールド構造を用いた場合の，サブフィールドの位置及び発光の中心位置を示す図である。（ａ）はＡＰＣレベルが最小である場合，（ｂ）はＡＰＣレベルが最大である場合，（ｃ）は第１グループ（Ｇ１）の発光時間が第２グループ（Ｇ２）の発光時間よりも長い階調を表示する場合を示す。
【図５】本発明の第１の実施の形態にかかるサブフィールド構造を示す図である。
【図６】第１の実施の形態のサブフィールド配列を用いて低階調を表示する際のサブフィールドの組み合わせ例を示す図である。
【図７】第１の実施の形態のサブフィールド配列を用いた際に隣接階調が４と３の画像が移動した場合に発生する疑似輪郭の発生概念を示す図である。
【図８】第１の実施の形態のサブフィールド構造を用いた場合の，サブフィールドの位置及び発光の中心位置を示す図である。（ａ）はＡＰＣレベルが最小である場合，（ｂ）はＡＰＣレベルが最大である場合を示す。
【図９】本発明の第２の実施の形態にかかるサブフィールド構造を示す図である。（ａ）はＡＰＣレベルが最小である場合，（ｂ）はＡＰＣレベルが中間である場合，（ｃ）はＡＰＣレベルが最大である場合を示す。
【図１０】第２の実施の形態のサブフィールド構造を用いた場合の，サブフィールドの位置及び発光の中心位置を示す図である。（ａ）はＡＰＣレベルが最小である場合，（ｂ）はＡＰＣレベルが最大である場合を示す。
【図１１】ＡＰＣレベルとサブフィールド期間（占有時間）との関係を示す図である。（ａ）は第１の実施の形態のサブフィールド構造を用いた場合であり，（ｂ）は第２の実施の形態のサブフィールド構造を用いた場合を示す。
【図１２】第１または第２の実施の形態にかかるＰＤＰの画像表示装置のブロック図である。
【符号の説明】
【００９７】
１００      映像信号処理部
２００      垂直周波数検出部
３００      ガンマ補正及び誤差拡散部
４００      メモリ制御部
５００      アドレス駆動部
６００      自動電力制御部（ＡＰＣ部）
７００      サブフィールド変化範囲判断部
８００      維持・走査パルス駆動制御部
９００      維持・走査パルス駆動部
１０００    ＰＤＰ
【図１】
2004252455.tif 000003
【図２】
2004252455.tif 000004
【図３】
2004252455.tif 000005
【図４】
2004252455.tif 000006
【図５】
2004252455.tif 000007
【図６】
2004252455.tif 000008
【図７】
2004252455.tif 000009
【図８】
2004252455.tif 000010
【図９】
2004252455.tif 000011
【図１０】
2004252455.tif 000012
【図１１】
2004252455.tif 000013
【図１２】
2004252455.tif 000014